(57)【特許請求の範囲】
【請求項１】
ファンと、
前記ファンの背面側に配置されたフィルターと、を備え、
前記フィルターは、該フィルターにおける前記ファンの中央部に対応する中央領域に配置された脱臭部材又は／及び芳香部材と、前記フィルターにおける少なくとも前記ファンの周縁部に対応する領域に配置された不織布と、を備えてなり、
前記不織布の見掛け密度が０．００１ｇ／ｃｍ3〜０．２ｇ／ｃｍ3の範囲であることを特徴とする小動物用集毛ファン装置。
【請求項２】
前記フィルターは、さらに支持枠を備え、
前記不織布は、前記支持枠で取り囲まれた領域を覆う態様で前記支持枠に接合されている請求項１に記載の小動物用集毛ファン装置。
【請求項３】
前記脱臭部材又は／及び芳香部材は、前記支持枠で取り囲まれた領域の中央領域において該支持枠に固定された通気性収容ケース部に収容されている請求項２に記載の小動物用集毛ファン装置。
【請求項４】
前記通気性収容ケース部は、相互に離間した３本以上の支持棒を介して前記支持枠に固定されている請求項３に記載の小動物用集毛ファン装置。
【請求項５】
前記不織布は、前記通気性収容ケース部の一部に接合されている請求項３または４に記載の小動物用集毛ファン装置。
【請求項６】
前記不織布の見掛け密度が０．００３ｇ／ｃｍ3〜０．０６ｇ／ｃｍ3である請求項１〜５のいずれか１項に記載の小動物用集毛ファン装置。
【請求項７】
前記不織布は、その構成繊維として少なくとも熱融着性繊維を含有し、前記構成繊維相互間の交絡部の少なくとも一部が繊維間の融着部である請求項１〜６のいずれか１項に記載の小動物用集毛ファン装置。
【請求項８】
前記不織布を構成する繊維の太さが、０．５デシテックス〜１０デシテックスの範囲である請求項１〜７のいずれか１項に記載の小動物用集毛ファン装置。
【請求項９】
前記ファンの回転による風量が、１ｍ3／分〜３．５ｍ3／分である請求項１〜８のいずれか１項に記載の小動物用集毛ファン装置。
【発明の詳細な説明】
【技術分野】
【０００１】
本発明は、うさぎ等の小動物を飼育しているケージに取り付ける等して用いられ、ファンの回転による吸引によって、抜け毛、牧草の粉塵等をフィルターで捕捉すると共にフィルターにより脱臭又は／及び芳香付与も行う小動物用集毛ファン装置に関する。
【０００２】
なお、本願の特許請求の範囲及び明細書において、「背面側」の語は、ファンの回転により吸気される吸気側を意味し、「前面側」の語は、ファンの回転により排気される排気側を意味するものである。
【０００３】
また、本願の特許請求の範囲及び明細書において、「左」の語は、本発明の小動物用集毛ファン装置を正面視したとき（前面側から見たとき）の「左」を意味し、「右」の語は、本発明の小動物用集毛ファン装置を正面視したとき（前面側から見たとき）の「右」を意味する。
【背景技術】
【０００４】
従来より、うさぎ、フェレット等の小動物ペットを室内で飼育することが行われているが、動物であるがゆえに動物臭がして不快に感じることがあるのが実状である。
【０００５】
このようなペットの臭いの問題を解決するためのものとして、ケースと、臭いが外部に漏れないようにするカバーと、ペットが顔を出すための首用ゴム穴と、脱臭フィルタが付属した脱臭器と、芳香剤がセットされた排気ホースと、換気ファンと、装置制御部とを備えたペット用消臭（脱臭）装置が提案されている（特許文献１参照）。
【０００６】
また、送風手段が送風する空気を吹き出す吹き出し口と、送風手段が送風する空気を吸い込む吸い込み口とを筐体に設け、該筐体内に設けた送風経路中に臭い成分を吸着する吸着体（ゼオライト、シリカ、アルミナ等）を配置し、前記送風手段が送風する空気が、前記吹き出し口と吸い込み口とを有する筐体内の脱臭空間（ペットの居る空間）と、脱臭空間の外（筐体の外）とを仕切るエアカーテン流を形成する脱臭装置が公知である（特許文献２参照）。
【先行技術文献】
【特許文献】
【０００７】
【特許文献１】特開２００７−３１９１０６号公報
【特許文献２】特開２００２−１２６０５４号公報
【発明の概要】
【発明が解決しようとする課題】
【０００８】
ところで、うさぎ、フェレット等の小動物ペットは、特に換毛期においては抜け毛が多くて、うさぎ、フェレット等が動いたり、飛び跳ねたりすると、ケージ内に抜け毛が舞い上がったり、舞い上がった抜け毛がケージの外側に出て室内の床面に散乱するという問題を生じていた。
【０００９】
また、うさぎには、餌として牧草を与えたりするが、上記同様にうさぎが動いたり、飛び跳ねたりすると、ケージ内に牧草片や牧草の粉塵が舞い上がったり、舞い上がった牧草片や牧草の粉塵がケージの外側に出て室内の床面に散乱するという問題を生じていた。
【００１０】
しかるに、上記従来の脱臭装置では、ペットからの臭いを低減する効果は得られるものの、ペットの抜け毛、牧草の粉塵等を捕捉することはできなかった。
【００１１】
本発明は、かかる技術的背景に鑑みてなされたものであって、ファンの回転による吸引によって、フィルターで脱臭又は／及び芳香付与を行うことができると共に、抜け毛、牧草の粉塵等を該フィルターで捕捉することができる小動物用集毛ファン装置を提供することを目的とする。
【課題を解決するための手段】
【００１２】
前記目的を達成するために、本発明は以下の手段を提供する。
【００１３】
［１］ファンと、
前記ファンの背面側に配置されたフィルターと、を備え、
前記フィルターは、該フィルターにおける前記ファンの中央部に対応する中央領域に配置された脱臭部材又は／及び芳香部材と、前記フィルターにおける少なくとも前記ファンの周縁部に対応する領域に配置された不織布と、を備えてなり、
前記不織布の見掛け密度が０．００１ｇ／ｃｍ3〜０．２ｇ／ｃｍ3の範囲であることを特徴とする小動物用集毛ファン装置。
【００１４】
［２］前記フィルターは、さらに支持枠を備え、
前記不織布は、前記支持枠で取り囲まれた領域を覆う態様で前記支持枠に接合されている前項１に記載の小動物用集毛ファン装置。
【００１５】
［３］前記脱臭部材又は／及び芳香部材は、前記支持枠で取り囲まれた領域の中央領域において該支持枠に固定された通気性収容ケース部に収容されている前項２に記載の小動物用集毛ファン装置。
【００１６】
［４］前記通気性収容ケース部は、相互に離間した３本以上の支持棒を介して前記支持枠に固定されている前項３に記載の小動物用集毛ファン装置。
【００１７】
［５］前記不織布は、前記通気性収容ケース部の一部に接合されている前項３または４に記載の小動物用集毛ファン装置。
【００１８】
［６］前記不織布の見掛け密度が０．００３ｇ／ｃｍ3〜０．０６ｇ／ｃｍ3である前項１〜５のいずれか１項に記載の小動物用集毛ファン装置。
【００１９】
［７］前記不織布は、その構成繊維として少なくとも熱融着性繊維を含有し、前記構成繊維相互間の交絡部の少なくとも一部が繊維間の融着部である前項１〜６のいずれか１項に記載の小動物用集毛ファン装置。
【００２０】
［８］前記不織布を構成する繊維の太さが、０．５デシテックス〜１０デシテックスの範囲である前項１〜７のいずれか１項に記載の小動物用集毛ファン装置。
【００２１】
［９］前記ファンの回転による風量が、１ｍ3／分〜３．５ｍ3／分である前項１〜８のいずれか１項に記載の小動物用集毛ファン装置。
【発明の効果】
【００２２】
［１］の発明では、フィルターにおけるファンの周縁部に対応する領域は、ファンによる風量が大きい領域であるが、この領域に不織布が配置されているので、この不織布によって抜け毛、牧草片、牧草の粉塵等を捕捉することができる。一方、フィルターにおけるファンの中央部に対応する中央領域は、ファンによる風量が小さい領域であるが、この領域に脱臭部材又は／及び芳香部材が配置されているので、脱臭効果又は／及び芳香付与効果を得ることができる。
【００２３】
更に、不織布の見掛け密度が０．００１ｇ／ｃｍ3〜０．２ｇ／ｃｍ3の範囲であるので、ファンの回転により不織布を通過する空気の風量（単位時間当たりの風量）を十分に確保できて、ケージ内や床面等の小動物の抜け毛、牧草片、牧草の粉塵等を十分にフィルターに吸い寄せることができて、該フィルターの不織布によって抜け毛、牧草片、牧草の粉塵等を十分に捕捉することができる。
【００２４】
このように本発明の小動物用集毛ファン装置によれば、フィルターで脱臭を行うことができると共に、小動物の抜け毛、牧草片、牧草の粉塵等をフィルターで十分に捕捉できる。
【００２５】
［２］の発明では、不織布は、支持枠で取り囲まれた領域を覆う態様で支持枠に接合されているので、フィルターの耐久性を向上できる。また、不織布は支持枠に接合されているので、フィルターの交換も容易である。
【００２６】
［３］の発明では、脱臭部材又は／及び芳香部材は、前記支持枠で取り囲まれた領域の中央領域において該支持枠に固定された通気性収容ケース部に収容されているので、脱臭部材が中央領域に確実に固定された状態になり、周縁部の不織布におけるファンの回転による空気の風量（単位時間当たりの風量）を減少させる恐れがない。
【００２７】
［４］の発明では、通気性収容ケース部は、相互に離間した３本以上の支持棒を介して支持枠に固定されているから、通気性収容ケース部は、支持枠により安定状態に固定される。
【００２８】
［５］の発明では、不織布は、支持枠に接合されている上に、通気性収容ケース部の一部にも接合されているので、不織布の離脱、破損を十分に防止できる。
【００２９】
［６］の発明では、不織布の見掛け密度が０．００３ｇ／ｃｍ3〜０．０６ｇ／ｃｍ3であるので、不織布を通過する空気の風量（単位時間当たりの風量）をより十分に確保できて、不織布によって抜け毛、牧草片、牧草の粉塵等をより十分に捕捉できる。
【００３０】
［７］の発明では、不織布は、その構成繊維として少なくとも熱融着性繊維を含有し、構成繊維相互間の交絡部の少なくとも一部が繊維間の融着部になっているので、ファンの回転による空気の風量（単位時間当たりの風量）が大きくなっても不織布層から構成繊維が離脱、飛散することを十分に防止できる。
【００３１】
［８］の発明では、不織布を構成する繊維の太さが、０．５デシテックス〜１０デシテックスの範囲であるので、細い抜け毛、細かい粉塵でも十分に捕捉できる。
【００３２】
［９］の発明では、ファンの回転による風量が、１ｍ3／分〜３．５ｍ3／分であり、１ｍ3／分以上であることで不織布によって抜け毛、牧草片、牧草の粉塵等をより十分に捕捉できると共に、３．５ｍ3／分以下であることによってファンの回転による発生音も抑制できる。
【図面の簡単な説明】
【００３３】
【図１】本発明に係る小動物用集毛ファン装置の一実施形態を示す正面側からの斜視図である。
【図２】図１の小動物用集毛ファン装置の背面側からの斜視図である。
【図３】図１の小動物用集毛ファン装置の底面図である。
【図４】図１の小動物用集毛ファン装置の左側面図である。
【図５】図１の小動物用集毛ファン装置を構成部材に分離して示す背面側からの斜視図である。
【図６】ファン装置本体を構成する正面側カバー体を示す正面側からの斜視図である。
【図７】正面側カバー体を示す背面側からの斜視図である。
【図８】ファン装置本体を構成する背面側カバー体を示す正面側からの斜視図である。
【図９】背面側カバー体を示す背面側からの斜視図である。
【図１０】ファンガードを示す正面側からの斜視図である。
【図１１】フィルターを示す正面側からの斜視図である。
【図１２】フィルターを示す左側面図である。
【図１３】フィルターを構成部材に分離して示す背面側からの斜視図である。
【図１４】フィルター固定枠を示す正面側からの斜視図である。
【図１５】ケージを構成する棒に固定具を取り付ける態様を示す斜視図である。
【図１６】ケージに取り付け固定した固定具のファン装置支持用板に小動物用集毛ファン装置を装着する状態を示す斜視図である。
【図１７】固定具を用いて小動物用集毛ファン装置をケージに取り付け固定した状態を示す斜視図である。
【発明を実施するための形態】
【００３４】
本発明に係る小動物用集毛ファン装置（小動物用集毛クリーナー）１は、ファン２１と、フィルター３と、を備えている（図１、２、５参照）。
【００３５】
本発明の小動物用集毛ファン装置１の一実施形態について図面を参照しつつ説明する。本実施形態の小動物用集毛ファン装置１は、図５に示すように、ファン装置本体２と、ファンガード４と、フィルター３と、フィルター固定枠５と、を備えている。
【００３６】
前記ファン装置本体２は、正面側カバー体３１と、背面側カバー体５１と、ファン２１と、を備える（図５参照）。
【００３７】
前記正面側カバー体３１は、正面視略矩形状の前面板３２と、該前面板３２の上縁から背面側に向けて延ばされた天板３３と、前記前面板３２の下縁から背面側に向けて延ばされた底板３４と、前記前面板３２の正面から見て左縁から背面側に向けて延ばされた左側板３５と、前記前面板３２の正面から見て右縁から背面側に向けて延ばされた右側板３６と、を有し、これら天板３３、底板３４、左側板３５および右側板３６が連接された周側壁が構成されている（図６、７参照）。
【００３８】
前記前面板３２における上縁部から高さ方向に約３分の２の領域にわたって円形の開口部が形成されている（図６、７参照）。前記円形の開口部の中央部に円形状の中央ベース板３７が配置されており、該中央ベース板３７の周縁から放射状に多数本の連結細棒３８が延ばされて該連結細棒３８の先端が、前記前面板３２における円形の開口部を取り囲む内周縁に連結されている。隣り合う前記連結細棒３８の間に排気口２３が形成されている。即ち、前記前面板３２に多数個の排気口２３が設けられている（図６、７参照）
前記正面側カバー体３１の底板３４の底面に略矩形状の板状体からなる正面側脚部３９が接合されている（図６参照）。前記正面側脚部３９は、前記前面板３２の位置よりも前方側に突出している（図６参照）。
【００３９】
前記正面側カバー体３１の右側板３６の下端部にスイッチ部用開口部４０が形成されている（図７参照）。また、前記正面側カバー体３１の左側板３５の下端部から底板３４の左端部にかけて電気接続用開口部４１が形成されている。前記正面側カバー体３１の前面板３２の背面における上端部に互いに左右に離間して一対のネジ螺合用管部４２が後方に突設され、前記前面板３２の背面における下端部に互いに左右に離間して一対のネジ螺合用管部４２が後方に突設され、さらに前面板３２の背面における上下方向の中心よりやや下側の位置に互いに左右に離間して一対のネジ螺合用管部４２が後方に突設されている（図７参照）。
【００４０】
前記背面側カバー体５１は、背面板５２と、該背面板５２の上縁から前面側に向けて延ばされた天板５３と、前記背面板５２の下縁から前面側に向けて延ばされた底板５４と、前記背面板５２の正面から見て左縁から前面側に向けて延ばされた左側板５５と、前記前面板３２の正面から見て右縁から前面側に向けて延ばされた右側板５６と、を有し、これら天板５３、底板５４、左側板５５および右側板５６が連接された周側壁が構成されている（図８、９参照）。
【００４１】
前記背面板５２における上縁部から高さ方向に約３分の２の領域にわたって略円形状の開口部からなる吸気口２４が形成されている（図８、９参照）。前記背面板５２における前記吸気口２４の周囲に該吸気口２４を取り囲む態様で背面視で略矩形状のフィルター収容用突出壁５７が背面側に向けて突設されている（図９参照）。
【００４２】
前記略矩形状のフィルター収容用突出壁５７のうち上壁は、中央突出壁５７Ａ、該中央突出壁５７Ａの左右両側に中央突出壁５７Ａから少し離間して設けられた一対の係合用突出壁５７Ｂ、および中央突出壁５７Ａ及び一対の係合用突出壁５７Ｂを挟んでこれらと離間して設けられた左右のコーナー用突出壁５７Ｃで形成されている。
【００４３】
前記略矩形状のフィルター収容用突出壁５７のうち下壁は、互いに左右両側に離間して設けられた一対の係合用突出壁５７Ｆ、および一対の係合用突出壁５７Ｆを挟んでこれらと離間して設けられた左右のコーナー用突出壁５７Ｇで形成されている。
【００４４】
前記正面視で左側のコーナー用突出壁５７Ｃと、前記正面視で左側のコーナー用突出壁５７Ｇとが、それぞれフィルター収容用突出壁５７のうちの左壁５７Ｘに連接されている（図９参照）。また、前記正面視で右側のコーナー用突出壁５７Ｃと、前記正面視で右側のコーナー用突出壁５７Ｇとが、それぞれフィルター収容用突出壁５７のうちの右壁５７Ｙに連接されている（図９参照）。
【００４５】
前記一対の係合用突出壁５７Ｂの先端部にそれぞれ上方に突出する係合片６１が形成されている（図９参照）。また、前記一対の係合用突出壁５７Ｆの先端部にそれぞれ下方に突出する係合片６２が形成されている（図９参照）。
【００４６】
前記中央突出壁５７Ａの下面の最内方縁（正面側の縁）に左右方向に延びる上部係合溝６０が形成されている。また、前記一対の係合用突出壁５７Ｆの間に僅かに背面側に突出する水平部が形成されているが、この水平部の上面の最内方縁（正面側の縁）に左右方向に延びる下部係合溝６４が形成されている（図９参照）。
【００４７】
前記背面板５２における前記係合溝６４の直下位置において略矩形状の開口部６５が形成されている。前記開口部６５は、前記底板５４に形成された挿入用底面開口部６６と連通している（図２、９参照）。前記略矩形状の開口部６５から少し内部側に挟着用板７１が配置されている（図９参照）。前記挟着用板７１は、前記背面板５２に平行状に配置されている。前記挟着用板７１の下端は、前記底板５４に接合されると共に、前記挟着用板７１の上端は、水平板を介して前記背面板５２に連接されている。前記挟着用板７１において左右方向（水平方向）の中心位置より右端側寄りの位置に上下方向に延びる右側筋状孔部７２が穿設されると共に、前記挟着用板７１において左右方向の中心位置より左端側寄りの位置に上下方向に延びる左側筋状孔部７３が穿設されている。前記挟着用板７１における右側筋状孔部７２と左側筋状孔部７３で挟まれた領域の上下方向の中間部は、後方に（背面側に）突出する円弧部７４に形成されており（図９参照）、該円弧部７４は、前記左右一対の筋状孔部７２、７３の存在によって、前方側に押されることによって少し前方側に移動し得るものとなされている。前方側への押し込み力が解除されると、前記円弧部７４は、元の位置、形状に復帰する。前記背面板５２における前記開口部６５を取り囲む縁部の背面側に挿通用隙間７５が形成されている（図３、９参照）。この挿通用隙間７５に、後述する固定具１２０のファン装置支持用板１２６を挿通し得るものとなされている。
【００４８】
前記背面側カバー体５１の天板５３の上面における背面側の左右方向の中央部に凹陥部６３が形成されている（図９参照）。前記凹陥部６３の最下端部は、前記中央突出壁５７Ａの上面と面一になっている（図９参照）。
【００４９】
前記背面側カバー体５１の底板５４の底面に、略矩形状の板状体からなる一対の背面側脚部５９が互いに左右方向に離間した状態で接合されている（図９参照）。前記背面側脚部５９は、前記背面板５２の位置よりも後方側に突出している（図９参照）。
【００５０】
前記背面側カバー体５１の右側板５６の下端部にスイッチ部用開口部６７が形成されている（図８、９参照）。また、前記背面側カバー体５１の左側板５５の下端部から底板５４の左端部にかけて電気接続用開口部６８が形成されている。前記背面側カバー体３１の背面板５２の前面における上端部に互いに左右に離間して一対のネジ挿通用管部７０が前方に向けて突設され、前記背面板５２の前面における下端部に互いに左右に離間して一対のネジ挿通用管部７０が前方に向けて突設され、さらに背面板３２の前面における吸気口（開口部）２４のすぐ下の位置に互いに左右に離間して一対のネジ挿通用管部７０が前方に向けて突設されている（図８参照）。前記背面板３２における前記６つのネジ挿通用管部７０に対応する位置にそれぞれネジ挿通用孔６９が穿設されている（図９参照）。前記ネジ挿通用孔６９は、それぞれ対応するネジ挿通用管部７０に連通している。
【００５１】
しかして、前記ファン装置本体２の収容容器２２は、次のようにして構成されている。前記正面側カバー体３１の背面側に前記背面側カバー体５１の正面側を適合状態に重ね合わせた（組み付けた）後、背面側カバー体５１に設けられている６つのネジ挿通用孔６９それぞれにネジを挿通して螺合することによって各ネジを背面側カバー体５１のネジ挿通用管部７０を介して前記正面側カバー体３１のネジ螺合用管部４２に螺合せしめて、両カバー体３１を一体化して収容容器２２を構成している（図５参照）。前記正面側脚部３９および前記背面側脚部５９によってファン装置１としての脚部２６が構成されている（図３、４参照）。この脚部２６を床面に当接させて集毛ファン装置１を床面に対して安定して立設させることもできる。
【００５２】
前記ファン２１は、円柱形状の中心体２７と、前記中心体２７の外周面から外方に向けて延ばされた７枚の羽根２８とを備えている（図５参照）。前記中心体２７は、回転軸によって回転可能に支承されている。前記回転軸の前方側の端部が、前記正面側カバー体３１の中央ベース板３７の背面側に配置された略円盤状のファンモータ部（図示しない）に接合されている。前記ファンモータ部は、該ファンモータ部の外周縁から放射状に外方に向けて４本の固定棒が延ばされており、該固定棒の先端部が前記収容容器２２の内面に接合されていることによって、前記ファンモータ部が、前記中央ベース板３７の背面側に安定状態に支承固定されている。前記ファンモータ部から導出されている電気配線（図示しない）は、前記４本の固定棒のうち１本の固定棒のみに形成された内部中空空間内を通って電気接続端子２９（図３参照）に接続されている。
【００５３】
前記ファン装置本体２において、電気接続端子２９を介して電気を供給してスイッチ部２５をＯＮにすることによって、ファン２１が回転して、背面板５２側から前面板３２側に向けて空気の移動（前面側への風）が生じる。例えば、ＡＣアダプターのプラグを前記電気接続端子２９に接続すると共に、ＡＣアダプターの差し込みプラグをコンセントに差し込むことにより電気を供給する。
【００５４】
前記ファンガード４は、略矩形状の板部８０に略八角形の開口部が形成され、該開口部内の領域において多数の孔からなる通気口８１が設けられてなる（図５、１０参照）。即ち、前記ファンガード４の前記開口部の中央部に円環部（リング部）８２が形成され、この円環部８２の周縁から放射状に多数本の連結細棒８３が延ばされて該連結細棒８３の先端が、前記板部８０における略八角形の開口部を取り囲む内周縁に連接（連結）されている（図５、１０参照）。
【００５５】
前記ファンガード４を構成する板部８０の上面の中央部の正面側から上方に向けて上部係合片８４が突設されている（図１０参照）。前記上部係合片８４は、前記背面側カバー体５１の上部係合溝６０に係合しうる形状および大きさに形成されている。また、前記板部８０の下面の中央部から背面側に向けてフィルター収容用突出片８６が突設されている（図５参照）。更に、前記板部８０の下面の中央部の正面側から下方に向けて下部係合片８５が突設されている（図１０参照）。前記下部係合片８５は、前記背面側カバー体５１の下部係合溝６４に係合しうる形状および大きさに形成されている。
【００５６】
前記フィルター３は、図１３（構成部材に分離して示す背面側からの斜視図）に示すように、支持枠１５と、通気性収容ケース部１６と、脱臭部材１２と、不織布１３と、を備えてなる。
【００５７】
前記支持枠１５は、略矩形状の枠体からなる。前記通気性収容ケース部１６は、多数の隙間が形成された正面側の平面壁に低い高さの４つの壁が前後方向に延ばされてなる通気性ケースを有し、背面側は開放されている（開放面になっている）（図１３参照）。
【００５８】
前記通気性収容ケース部１６は、相互に離間した支持棒１７を介して前記支持枠１５に固定されている。即ち、前記通気性収容ケース部１６の４つの角部からそれぞれ放射状に支持棒１７Ａが延ばされてこれら支持棒１７Ａがそれぞれ前記支持枠１５の対応する角部の内側に接合されている。また、前記通気性収容ケース部１６の４つの辺部の長さ方向の中心部からそれぞれ外方に向けて放射状に支持棒１７Ｂが延ばされてこれら支持棒１７Ｂがそれぞれ前記支持枠１５の対応する辺部の内側に接合されている。しかして、前記通気性収容ケース部１６は、前記支持枠１５で取り囲まれた領域の中央領域に配置されて支持棒１７Ａ、１７Ｂを介して支持枠１５に固定されている（図１３参照）。
【００５９】
前記脱臭部材１２は、活性炭等の脱臭剤を含有してなる。本実施形態では、前記脱臭部材１２は、脱臭剤と、該脱臭剤を収容した通気性布袋１１とを備えている。本実施形態では、前記通気性布袋１１内に脱臭剤が収容されると共に、前記通気性布袋１１の開口部側（図１３で上側）が折り畳まれている。この折り畳み状態において、前記脱臭部材１２は、前記通気性収容ケース部１６内に収容し得る大きさになっている（図１３参照）。本実施形態では、脱臭部材を配置しているが、これに代えて、芳香剤を含有してなる芳香部材を配置するようにしてもよい。或いは、脱臭部材及び芳香部材の両方を配置するようにしてもよい。
【００６０】
前記不織布１３としては、見掛け密度が０．００１ｇ／ｃｍ3〜０．２ｇ／ｃｍ3の範囲の不織布を用いる。中でも、見掛け密度が０．００３ｇ／ｃｍ3〜０．０６ｇ／ｃｍ3である不織布を用いるのが好ましい。前記不織布１３は、正面視で略矩形状であり、前記支持枠１５の正面視からの外形形状および大きさに形成されている。
【００６１】
そして、前記フィルター３は、次のようにして構成されている。前記支持枠１５で取り囲まれた領域の中央領域で該支持枠１５に固定された通気性収容ケース部１６内に前記脱臭部材１２が収容され、さらに前記支持枠１５の背面に前記不織布１３の周縁部が接合され、前記不織布１３における前記通気性収容ケース部１６の４つの辺部に対応する部分が、該辺部に接合され、前記不織布１３における前記支持棒１７Ａに対応する部分が、前記支持棒１７Ａに接合された構成になっている（図５、図１１）。前記脱臭部材１２は、前記不織布１３の前面側に配置されている（図５参照）。なお、不織布１３は、前記支持棒（上下方向や水平方向に延びる支持棒）１７Ｂには接合されていない（図５参照）。前記脱臭部材１２は、通気性収容ケース部１６内に収容されると共に該通気性収容ケース部１６の開放面が前記不織布１３によって封止接合されているので、脱臭剤や脱臭部材１２が脱落することが防止される。前記フィルター３において、前記不織布１３と、支持枠１５、通気性収容ケース部１６および支持棒１７Ａとの各接合は、加熱による融着により行われるのが好ましい。このような融着により接合された場合には、前記フィルター３は、側面視において図１２に示すような形状（不織布が部分的に盛り上がった形状）を呈するが、特にこのような形状に限定されるものではない。
【００６２】
前記フィルター固定枠５は、略矩形状の枠体からなり、前記ファン装置本体２の略矩形状のフィルター収容用突出壁５７に背面側から外嵌しうる形状および大きさに形成されている（図１４参照）。前記フィルター固定枠５は、図１４に示すように、前後方向に幅を有しており、上壁８８ａ、下壁８８ｂ、左側壁８８ｃおよび右側壁８８ｄを備えており、これら上下左右の壁で固定枠本体部８８が形成されている。前記固定枠本体部８８の背面側の縁から、固定枠本体部８８で取り囲まれた開口部側（内方側）に向けて押さえ枠部９２が延設されている（図５、図１４参照）。前記押さえ枠部９２は、フィルター３の脱落を防止するために設けられているものである（図２参照）。前記固定枠本体部８８の上壁８８ａの前面側の縁部における左右方向の中央部に上方に向けて突出する取り外し用突片８９が形成されている（図１４参照）。前記固定枠本体部８８の下壁８８ｂの上面（内側面）の背面側の縁部において左右両側に相互に離間して一対の下部係合溝９０が形成されている（図１４参照）。前記固定枠本体部８８の上壁８８ａの下面（内側面）の背面側の縁部において左右両側に相互に離間して一対の上部係合溝９１が形成されている（図１４参照）。前記下部係合溝９０は、前記背面側カバー体５１の係合突片６２を受容しうる形状および大きさに形成されている。また、前記上部係合溝９１は、前記背面側カバー体５１の係合突片６１を受容しうる形状および大きさに形成されている。
【００６３】
そして、本発明に係る小動物用集毛ファン装置１は、次のようにして構成されている。前記ファン装置本体２の背面側に前記ファンガード４を装着する。ファンガード４の上部係合片８４を収容容器２２の背面側カバー体５１の上部係合溝６０に差し込んだ後、ファンガード４の下部係合片８５を背面板５２に当接させつつ押し込んで、ファンガード４の下部係合片８５を背面側カバー体５１の下部係合溝６４に係合せしめる（図５参照）。これにより、前記ファンガード４が、ファン装置本体２の背面側に安定状態に取り付け固定される。ファンガード４を取り外す場合には、ファンガード４の突出片８６を指で持って後方側に引くと、ファンガード４を取り外すことができる。
【００６４】
次に、前記ファン装置本体２のフィルター収容用突出壁５７（５７Ａ、５７Ｂ、５７Ｃ、５７Ｆ、５７Ｇ、５７Ｘ、５７Ｙ）で取り囲まれた空間内に前記フィルター３を収容する（配置する）。この時、フィルター３の支持枠１５における不織布１３接合面がより背面側（後方側）になるように配置する（図５参照）。次に、フィルター固定枠５の下壁８８ｂの内面を、ファン装置本体２のフィルター収容用突出壁５７Ｆ及びフィルター収容用突出片８６の外面に当接させて、フィルター固定枠５の下壁８８ｂの内面の下部係合溝９０に、フィルター収容用突出壁５７Ｆの係合突片６２を係合せしめ、さらにフィルター固定枠５の上壁８８ａをファン装置本体２側に押し込むことによって、フィルター固定枠５の上壁８８ａの内面の上部係合溝９１に、フィルター収容用突出壁５７Ｂの係合突片６１を係合せしめる。これにより、フィルター固定枠５が、ファン装置本体２の背面側に安定状態に取り付け固定されると共に、フィルター３の脱落が防止される（図２参照）。なお、フィルター固定枠５を取り外す場合には、フィルター固定枠５の取り外し用突片８９を指で引っ掛けて後方側に引くと、フィルター固定枠５を取り外すことができる（図２、４参照）。フィルター固定枠５を取り外すと、フィルター３も取り外すことができる。
【００６５】
次に、上記小動物用集毛ファン装置１をケージ１３０に取り付け固定するための固定具１２０について説明する。
【００６６】
前記固定具１２０は、本体部１２１と、ナット部１２２とを備えている（図１５参照）。前記本体部１２１は、ベース板１２３と、該ベース板１２３の一方の面から突設された十字ボルト部１２４と、前記ベース板１２３の他方の面から突設された棒状の連結部１２５と、該連結部１２５の先端に接合されたファン装置支持用板１２６とを備えている（図１５参照）。前記ファン装置支持用板１２６は、前記ベース板１２３に対し平行状に配置されている。前記十字ボルト部１２４は、正面視で略十字状の切り欠き部１２７がボルト部の先端から基端にかけて形成されている（図１５参照）。即ち、前記十字ボルト部１２４は、先端から基端にかけて縦方向（上下方向）に切り欠かれた縦切り欠き部１２７Ａおよび先端から基端にかけて横方向（水平方向）に切り欠かれた横切り欠き部１２７Ｂを備えている（図１５参照）。前記十字ボルト部１２４の外周面に雄ねじが形成されると共に、前記ナット部１２２の内周面に雌ねじが形成されていて、十字ボルト部１２４の外周面にナット部１２２を螺合し得るものとなされている。
【００６７】
上記小動物用集毛ファン装置１のケージ１３０への取り付け固定は、次のようにして行うことができる。
【００６８】
図１５に示すように、ケージ１３０の縦棒１３１と横棒（水平棒）１３２が交差している十字部に、前記固定具１２０の本体部１２１の十字ボルト部１２４をケージ１３０の外側から内側に向けて差し込む。即ち、十字ボルト部１２４の縦切り欠き部１２７Ａ内に縦棒１３１を配置せしめると共に、十字ボルト部１２４の横切り欠き部１２７Ｂ内に横棒１３２を配置せしめることで、縦棒１３１と横棒１３２が交差している十字部に、前記固定具１２０の十字ボルト部１２４をケージ１３０の外側から内側に向けて差し込む。しかる後、ケージ１３０の内側からナット部１２２を十字ボルト部１２４に螺合せしめて締め付けることによって、本体部１２１のベース板１２３とナット部１２２の間で、前記縦棒１３１と横棒１３２の交差十字部を挟み込み固定する（図１６参照）。これにより、前記固定具１２０がケージ１３０に対して安定状態にしっかり固定される。
【００６９】
次いで、ケージ１３０に取り付け固定した固定具１２０のファン装置支持用板１２６に小動物用集毛ファン装置１を装着する。図１６に示すように、集毛ファン装置１を下降移動させることにより、固定具１２０のファン装置支持用板１２６を、集毛ファン装置１の挿入用底面開口部６６を介して前記挿通用隙間７５（図３、１６）に挿通配置せしめると、ファン装置支持用板１２６の挿通配置によりファン装置１の挟着用板７１の円弧部７４が少し内部側に押し込まれた状態で、ファン装置支持用板１２６が、ファン装置１の挟着用板７１と背面板５２との間で挟着されるので、円弧部７４が元の形状に（位置に）復帰しようとする復帰力により、固定具１２０のファン装置支持用板１２６に対して集毛ファン装置１がしっかりと安定状態に装着固定される（図１７参照）。
【００７０】
上記集毛ファン装置１の電気接続端子２９を介して電気を供給してスイッチ部２５をＯＮにすることによって、ファン２１が回転し、背面板５２側から前面板３２側に向けて空気の移動（前面側への送風）が生じる。ファン２１の回転による背面側からの吸気により、背面側から吸い込まれた空気が、フィルター３、吸気口２４を介して前面板３２の排気口２３から排出される。この時、フィルター３におけるファン２１の周縁部に対応する領域は、ファン２１による風量が大きい領域であるが、この領域に不織布１３が配置されているので、この不織布１３によって抜け毛、牧草片、牧草の粉塵等を捕捉することができる。一方、フィルター３におけるファン２１の中央部に対応する中央領域は、ファンによる風量が小さい領域であるが、この領域に脱臭部材１２が配置されているので、脱臭効果を得ることができる。
【００７１】
更に、不織布１３の見掛け密度が０．００１ｇ／ｃｍ3〜０．２ｇ／ｃｍ3の範囲であるので、ファン２１の回転により不織布１３を通過する空気の風量（単位時間当たりの風量）を十分に確保できて、ケージ１３０内や床面等の小動物の抜け毛、牧草片、牧草の粉塵等を十分にフィルター３に吸い寄せることができて、該フィルターの不織布１３によって抜け毛、牧草片、牧草の粉塵等を十分に捕捉することができる。
【００７２】
なお、小動物のグルーミングを行う際には、本発明の小動物用集毛ファン装置１をケージ１３０から取り外して床面等の上に小動物用集毛ファン装置１をその脚部２６で接地させて立てて設置してファン２１を回転させ、集毛ファン装置１のフィルター３側（吸気側）においてうさぎ等の小動物にグルーミングを行うと、抜け毛をフィルター部材３の不織布１３で捕捉することができる。
【００７３】
また、本発明に係る小動物用集毛ファン装置１は、ケージ１３０に取り付けることなく、床面等に立てて設置して使用する態様で使用してもよく、猫や犬等の小動物に対してはこのような使用態様で使用することもできる。
【００７４】
本発明において、前記フィルター３を構成する不織布１３としては、見掛け密度が０．００１ｇ／ｃｍ3〜０．２ｇ／ｃｍ3の範囲の不織布を用いる。見掛け密度が０．００１ｇ／ｃｍ3未満では、小動物の抜け毛等を十分に捕捉することができないし、見掛け密度が０．２ｇ／ｃｍ3を超えると、ファン２１の回転による風量が不足して小動物の抜け毛等をフィルター３まで引き寄せることができなくなる。前記不織布１３は、短繊維で構成されているのが好ましい。また、前記不織布１３を構成する繊維としては、特に限定されるものではないが、例えば、ポリエチレン、ポリプロピレン、ポリエステル等が挙げられる。前記不織布１３の厚さ（不織布１３の最大厚さ）は、２ｍｍ〜２０ｍｍであるのが好ましい。２ｍｍ以上とすることで抜け毛の捕捉性能を向上できるし、２０ｍｍ以下とすることでコンパクト化を図ることができる。中でも、前記不織布１３の厚さ（不織布１３の最大厚さ）は、３ｍｍ〜１０ｍｍであるのが特に好ましい。
【００７５】
また、前記不織布１３は、その構成繊維として少なくとも熱融着性繊維を含有し、前記構成繊維相互間の交絡部（交差部）の少なくとも一部が前記熱融着性繊維の融着で接合されている構成であるのが好ましい。この場合には、ファン２１の回転による空気の風量（単位時間当たりの風量）が大きくなってもフィルター３から構成繊維が離脱、飛散することを十分に防止できる。前記熱融着性繊維としては、特に限定されるものではないが、例えば、芯部の樹脂成分より融点が低い低融点樹脂を鞘部に配した芯鞘型複合繊維が好適である。
【実施例】
【００７６】
次に、本発明の具体的実施例について説明するが、本発明はこれら実施例のものに特に限定されるものではない。
【００７７】
＜実施例１＞
３．３３３デシテックス（３デニール）のポリプロピレン繊維を用いて構成された見掛け密度が０．０１６ｇ／ｃｍ3、厚さが５ｍｍの不織布１３（図１３参照）を用いてフィルター３を構成し、該フィルター３（図５、１１、１２参照）を用いて上述した構成の小動物用集毛ファン装置１を作成した。
【００７８】
＜実施例２＞
不織布の見掛け密度０．０１６ｇ／ｃｍ3を０．００４ｇ／ｃｍ3に変更した以外は、実施例１と同様にして、小動物用集毛ファン装置１を作成した。
【００７９】
＜実施例３＞
不織布の見掛け密度０．０１６ｇ／ｃｍ3を０．０５ｇ／ｃｍ3に変更した以外は、実施例１と同様にして、小動物用集毛ファン装置１を作成した。
【００８０】
＜比較例１＞
不織布の見掛け密度０．０１６ｇ／ｃｍ3を０．０００５ｇ／ｃｍ3に変更した以外は、実施例１と同様にして、小動物用集毛ファン装置を作成した。
【００８１】
＜比較例２＞
不織布の見掛け密度０．０１６ｇ／ｃｍ3を０．４ｇ／ｃｍ3に変更した以外は、実施例１と同様にして、小動物用集毛ファン装置を作成した。
【００８２】
上記のようにして得られた各小動物用集毛ファン装置を別々に換毛期のうさぎが約１ヶ月飼育されているケージに取り付け固定し、ファンを３日間継続して回転させて装置を稼働させて、フィルター（使用前は白色）による集毛性能を評価した。なお、前記ファンそのものの設定風量は２．２３ｍ3／分である。
【００８３】
その結果、実施例１〜３の小動物用集毛ファン装置では、フィルターの不織布の背面の色が、うさぎの抜け毛の茶色を呈しており、肉眼でもうさぎの抜け毛（茶色毛）が十分にフィルターの不織布で捕捉されていることを確認した。
【００８４】
これに対し、比較例１の小動物用集毛ファン装置では、吸気口２４側から排気口２３側への通気量は十分に得られていたが、フィルターの不織布の背面の色は、僅かに茶色くなっている程度で、肉眼でもうさぎの抜け毛は殆ど捕捉できていなかった。
【００８５】
また、比較例２の小動物用集毛ファン装置では、吸気口２４側から排気口２３側への通気量は少なく、フィルターの不織布の背面の色は、元の白色のままであり、肉眼でもうさぎの抜け毛は捕捉できていなかった。
【産業上の利用可能性】
【００８６】
本発明の小動物用集毛ファン装置は、うさぎ、リス、ハムスター、フェレット、ハリネズミ、フクロモモンガ等の小動物を飼育しているケージに取り付けたり、犬、猫等の小動物を飼育している床面等に立てて設置する等して用いられ、ケージ内や床面等の抜け毛、牧草の粉塵等をファンの回転による吸引（送風）によりフィルターで捕捉すると共にフィルターの中央部に配設されている活性炭等の脱臭剤（消臭剤）又は／及び芳香部材により脱臭又は／及び芳香付与も行うことができる。中でも、うさぎ用集毛ファン装置として好適である。
【符号の説明】
【００８７】
１…小動物用集毛ファン装置
２…ファン装置本体
３…フィルター
５…フィルター固定枠
１２…脱臭部材又は／及び芳香部材
１３…不織布
１５…支持枠
１６…通気性収容ケース部
１７Ａ、１７Ｂ…支持棒
２１…ファン
【図１】
0006619270.tif 000002
【図２】
0006619270.tif 000003
【図３】
0006619270.tif 000004
【図４】
0006619270.tif 000005
【図５】
0006619270.tif 000006
【図６】
0006619270.tif 000007
【図７】
0006619270.tif 000008
【図８】
0006619270.tif 000009
【図９】
0006619270.tif 000010
【図１０】
0006619270.tif 000011
【図１１】
0006619270.tif 000012
【図１２】
0006619270.tif 000013
【図１３】
0006619270.tif 000014
【図１４】
0006619270.tif 000015
【図１５】
0006619270.tif 000016
【図１６】
0006619270.tif 000017
【図１７】
0006619270.tif 000018